(57)【要約】【課題】貯湯タンクの構造を簡素化した貯湯式温水器を得ること。【解決手段】壁部にフランジ取付孔２ａを設けたステンレス製の貯湯タンク２と、前記フランジ取付孔２ａを塞ぐように前記貯湯タンク２に取付けられたステンレス製のフランジ１２と、ステンレスパイプで被覆され前記フランジ１２に取付けられた水加熱ヒータ５と、前記フランジ１２に取付けられ鉄よりイオン化傾向が大きい犠牲陽極７と、を備える。さらに、前記犠牲陽極を、前記フランジ１２に取付けられた圧力逃がし弁２０の弁体２２で兼用した。【選択図】        図１
2009097830.tif 000002
【特許請求の範囲】
【請求項１】
壁部にフランジ取付孔を設けたステンレス製の貯湯タンクと、
前記フランジ取付孔を塞ぐように前記貯湯タンクに取付けられたステンレス製のフランジと、
ステンレスパイプで被覆され前記フランジに取付けられた水加熱ヒータと、
前記フランジに取付けられ鉄よりイオン化傾向が大きい犠牲陽極と、
を備えることを特徴とする貯湯式温水器。
【請求項２】
前記犠牲陽極を、前記フランジに取付けられた圧力逃がし弁の弁体で兼用したことを特徴とする請求項１に記載の貯湯式温水器。
【発明の詳細な説明】
【技術分野】
【０００１】
本発明は、貯湯式温水器に関するものであり、特に、水加熱ヒータと貯湯タンクの防食に関する。
【背景技術】
【０００２】
従来の貯湯式温水器においては、水加熱ヒータと貯湯タンクの防食のために、犠牲陽極となる防食用の金属を貯湯タンクに取り付けていた（例えば、特許文献１参照）。
【０００３】
【特許文献１】特開昭６２−２２８４９４号公報（第１頁、第４図）
【発明の開示】
【発明が解決しようとする課題】
【０００４】
しかしながら、上記従来の貯湯式温水器においては、水加熱ヒータと、貯湯タンクで犠牲陽極となる防食用金属とを、貯湯タンクに別々に取り付けていた。そのため、貯湯タンクに、犠牲陽極となる防食用金属を取り付けるための専用の取付フランジを設ける必要があった。
【０００５】
本発明は、上記に鑑みてなされたものであって、貯湯タンクに、犠牲陽極となる防食用金属を取付けるための専用の取付フランジを設ける必要がなく、貯湯タンクの構造を簡素化した貯湯式温水器を得ることを目的とする。
【課題を解決するための手段】
【０００６】
上述した課題を解決し、目的を達成するために、本発明は、壁部にフランジ取付孔を設けたステンレス製の貯湯タンクと、前記フランジ取付孔を塞ぐように前記貯湯タンクに取付けられたステンレス製のフランジと、ステンレスパイプで被覆され前記フランジに取付けられた水加熱ヒータと、前記フランジに取付けられ鉄よりイオン化傾向が大きい犠牲陽極と、を備えることを特徴とする。
【発明の効果】
【０００７】
この発明によれば、貯湯タンクに犠牲陽極となる防食用金属を取り付けるための専用の取付フランジを設ける必要がなく、貯湯タンクの構造を簡素化することができる、という効果を奏する。
【発明を実施するための最良の形態】
【０００８】
以下に、本発明にかかる貯湯式温水器の実施の形態を図面に基づいて詳細に説明する。なお、この実施の形態によりこの発明が限定されるものではない。
【０００９】
実施の形態１．
図１は、本発明の貯湯式温水器の実施の形態１を示す縦断面図であり、図２は、実施の形態１のフランジに取付けられた水加熱ヒータ及び犠牲陽極の一部断面側面図である。図１に示すように、貯湯式温水器１００は、直方体状の温水器筐体１と、温水器筐体１内に収納された密閉円筒状のステンレス製の貯湯タンク２と、貯湯タンク２の底部に接続された給水管３と、貯湯タンク２の天部に接続された給湯管４と、貯湯タンク２の壁部の外面に取付けられた温度センサ６を備えている。
【００１０】
貯湯タンク２の壁部には、フランジ取付孔２ａが設けられている。フランジ取付孔２ａを塞ぐように、平板状のステンレス製のフランジ１２がネジ等により取付けられ、フランジ１２の下部には、クランク状に屈曲され発熱部分がステンレスパイプで被覆された水加熱ヒータ５が取付けられ、フランジ１２の上部には、犠牲電極となる棒状の防食用金属７が取付棒１７（図２参照）を介して溶接により取付けられている。防食用金属７には、例えば、貯湯タンク２や水加熱ヒータ５の材料のステンレス材や鉄よりもイオン化傾向の大きい銅材を用いている。
【００１１】
図２に示すように、水加熱ヒータ５は、クランク状に屈曲されたステンレスパイプ１１と、ステンレスパイプ１１で被覆された発熱線１４と、発熱線１４に接続されステンレスパイプ１１の基部（フランジ取付部）の外側まで導出された端子棒１３と、ステンレスパイプ１１内に封入され発熱線１４及び端子棒１３とステンレスパイプ１１との間を絶縁する絶縁粉末１５と、を備えている。
【００１２】
防食用金属７に取付棒１７をねじ込み、フランジ１２に取付棒１７とステンレスパイプ１１とを溶接して取り付ける。これにより、水加熱ヒータ５と犠牲陽極としての防食用金属７とを一体にフランジ１２に取り付けることができ、防食用金属７を取付けるための専用の取付フランジを貯湯タンク２に設ける必要がなく、貯湯タンク２の構造を簡素化することができる。
【００１３】
次に実施の形態１の貯湯式温水器１００の作用を説明する。給水管３から貯湯タンク２に給水して満水にし、水加熱ヒータ５に通電して加熱する。貯湯タンク２の壁部に取付けられた温度センサ６により湯温を検出し、設定湯温に達したら、水加熱ヒータ５の通電を停止する。設定湯温に達した貯湯タンク２の湯は、給水管３からの給水圧力により、給湯管４に押し出され、給湯管４から給湯されて使用される。
【００１４】
ステンレス製の貯湯タンク２と、貯湯タンク２よりイオン化傾向が大きく犠牲陽極となる防食用金属７とを、電気的に接続して水に浸漬すると、イオン化傾向の小さい貯湯タンク２に比してイオン化傾向の大きい防食用金属７が犠牲的に腐食し、貯湯タンク２の腐食を抑制する。防食用金属７が先に腐食して電子を放出し、貯湯タンク２に電子を供給して貯湯タンク２の電子放出を妨げることにより貯湯タンク２の防食効果が得られる。
【００１５】
実施の形態２．
図３は、本発明の貯湯式温水器の実施の形態２を示す、フランジに取付けられた水加熱ヒータ及び圧力逃がし弁の一部断面側面図である。図３に示すように、水加熱ヒータ５は、実施の形態１のものと同等であるので詳細な説明は省略する。
【００１６】
ステンレス製のフランジ１２の上部には、内端板２１ａ及び外端板２１ｂを有する圧力逃がし弁２０の筒状のステンレス製の弁筐体２１が溶接により取付けられている。内端板２１ａ及び外端板２１ｂには、孔が設けられている。基端部にフランジ部を有する圧力逃がし弁２０の棒状の銅製の弁体２２が、内端板２１ａの孔から貯湯タンク２内へ突出している。弁体２２は、犠牲陽極となる。弁筐体２１内にはバネ２４が設置され弁体２２を貯湯タンク２内に突出させるように弁体２２の基端部を押圧している。
【００１７】
内端板２１ａの筐体内側にはパッキン２３が装着され、パッキン２３に弁体２２のフランジ部が押圧されて貯湯タンク２の湯が内端板２１ａの孔から漏れ出さないようにシールしている。弁筐体２１の後端部には、配水管２５が接続されている。配水管２５には、貯湯タンク２からの湯漏れを検出する電極２６が取付けられている。
【００１８】
貯湯タンク２内の圧力が異常に上昇し、バネ２４により予め設定された逃がし圧を超えると、圧力逃がし弁２０の弁体２２のフランジ部が弁筐体２１内に押込まれて内端板２１ａの孔を開き、貯湯タンク２の湯を配水管２５から流出させて貯湯タンク２の破損を防止する。このとき流出する湯を電極２６により検出して圧力の異常上昇を検出することができる。また、犠牲陽極となっている弁体２２が腐食、溶解して寿命を迎えると、排水管２５に湯が流れ出すので、電極２６により寿命を検出することができる。
【００１９】
貯湯タンク１２内の圧力が異常上昇して排出される湯を電極２６が検出するのは、貯湯タンク２の沸き上げ時のみであり、犠牲陽極となっている弁体２２が腐食、溶解して寿命を迎えたときは、常時、排水管２５に湯が流れ出して電極２６がこれを検出するので、この違いにより、貯湯タンク１２内の圧力異常上昇か、弁体２２が腐食、溶解して寿命を迎えたのかを判別することができる。
【００２０】
以上のように、実施の形態２の貯湯式温水器は、貯湯タンク２に犠牲陽極となる防食用金属２２を取り付けるための専用の取付フランジを必要とせず、貯湯タンク２の構造を簡素化することができる。
【００２１】
また、犠牲陽極となる弁体２２が、腐食、溶解して消耗したことを検出するための消耗検出装置と、貯湯タンク２に異常圧力が加わったとき、貯湯タンク２を保護するための圧力逃がし弁２０が動作したことを検出するための圧力逃がし弁動作検出装置と、を一つの検出装置（電極２６）で兼ねることができ、貯湯式温水器１００の信頼性を向上させるとともに、製造コストを低減させることができる。
【産業上の利用可能性】
【００２２】
以上のように、本発明にかかる貯湯式温水器は、構造が簡素な廉価タイプとして有用である。
【図面の簡単な説明】
【００２３】
【図１】本発明の貯湯式温水器の実施の形態１を示す縦断面図である。
【図２】実施の形態１のフランジに取付けられた水加熱ヒータ及び犠牲陽極の一部断面側面図である。
【図３】本発明の貯湯式温水器の実施の形態２を示す、フランジに取付けられた水加熱ヒータ及び圧力逃がし弁の一部断面側面図である。
【符号の説明】
【００２４】
１  温水器筐体
２  貯湯タンク
２ａ  フランジ取付孔
３  給水管
４  給湯管
５  水加熱ヒータ
６  温度センサ
７  防食用金属（犠牲陽極）
１１  ステンレスパイプ
１２  フランジ
１３  端子棒
１４  発熱線
１５  絶縁粉末
１７  取付棒
２０  圧力逃がし弁
２１  弁筐体
２１ａ  内端板
２１ｂ  外端板
２２  弁体
２３  パッキン
２４  バネ
２５  排水管
２６  電極
１００  貯湯式温水器
【図１】
2009097830.tif 000003
【図２】
2009097830.tif 000004
【図３】
2009097830.tif 000005